(57)【要約】【課題】本発明は、利用者の顔画像の取得精度を高めて、セキュリティ性を向上させることができる出入管理装置を得ることを目的とするものである。【解決手段】コントローラ１には、カメラ２、カードリーダ部３、電気錠４、及び報知手段としての顔検出ランプ５が接続されている。コントローラ１には、ＩＤ情報とＩＤ情報に対応した出入管理情報とが登録されている。コントローラ１は、カメラ２により撮影された画像情報における利用者の顔画像の有無の判断結果とカードリーダ部３から受けたＩＤ情報と出入管理情報とに応じて電気錠４を施錠・解錠させるとともに顔検出ランプ５を点灯・消灯させて、利用者の出入管理を行う。【選択図】図１
2007009643.tif 000002
【特許請求の範囲】
【請求項１】
利用者の画像を撮影するカメラ、及び
上記カメラから得た画像情報から利用者の顔画像の有無を判断するとともに、利用者により入力されたＩＤ情報と上記顔画像の有無とに応じて利用者の出入管理を行うコントローラ
を備えていることを特徴とする出入管理装置。
【請求項２】
上記コントローラには、ＩＤ情報に対応した出入管理情報が登録されており、上記出入管理情報には、利用者の顔画像が出入管理に必要かどうかを判断するための情報と、入力されたＩＤが管理領域の通行を許可されているかどうかを判断するための情報とが含まれていることを特徴とする請求項１に記載の出入管理装置。
【請求項３】
上記コントローラは、上記管理領域の出入口に設けられた電気錠を施錠・解錠することを特徴とする請求項１又は請求項２に記載の出入管理装置。
【請求項４】
上記コントローラによる利用者の顔画像の有無の判断結果を利用者に知らせる報知手段をさらに備えていることを特徴とする請求項１〜請求項３のいずれかに記載の出入管理装置。
【発明の詳細な説明】
【技術分野】
【０００１】
この発明は、ＩＤ情報を用いて特定区域への出入管理を行う出入管理装置に関するものである。
【背景技術】
【０００２】
従来の入退室管理装置は、利用者のＩＤカードをカードリーダ部が読み込むことにより電気錠を解錠させて所定エリア内への入退室管理を行っていた。そして、カードリーダ部のＩＤ情報読込時における利用者の画像情報をＣＣＤカメラから取得し、メモリに保存していた（例えば、特許文献１参照）。
【０００３】
【特許文献１】特開２００２−３０４６５１号公報
【発明の開示】
【発明が解決しようとする課題】
【０００４】
上記のような従来の入退室管理装置は、ＣＣＤカメラとカードリーダ部との動作上の直接の関連が無いため、盗難及び偽造ＩＤカード等を用いる悪意を持つ利用者には、下を向かれたり覆面を被られたりすることにより顔を隠されてしまい、利用者の顔を画像上で特定することが困難な場合があった。
【０００５】
この発明は、上記のような課題を解決するためになされたものであり、利用者のＩＤ情報に対応した出入管理を行う場合に、セキュリティ性を向上させることができる出入管理装置を得ることを目的とする。
【課題を解決するための手段】
【０００６】
この発明に係る出入管理装置は、利用者の画像を撮影するカメラ、及びカメラから得た画像情報から利用者の顔画像の有無を判断するとともに、利用者により入力されたＩＤ情報と利用者の顔画像の有無に応じて利用者の出入管理を行うコントローラを備えている。
【発明の効果】
【０００７】
この発明の出入管理装置は、カメラから得た利用者の画像情報からコントローラが利用者の顔画像の有無を判断し、利用者の顔画像の有無と利用者から入力されたＩＤ情報とに応じて出入管理を行うことにより、利用者の顔画像の取得精度を高めて、セキュリティ性を向上させることができる。
【発明を実施するための最良の形態】
【０００８】
以下、この発明を実施するための最良の形態について、図面を参照して説明する。
実施の形態１．
図１は、この発明の実施の形態１による出入管理装置を示すブロック図である。コントローラ１には、カメラ２、カードリーダ部３、電気錠４、及び報知手段としての顔検出ランプ５が接続されている。コントローラ１には、ＩＤ情報とＩＤ情報に対応した出入管理情報とが登録されている。コントローラ１は、カメラ２が撮影した利用者の画像情報を受けて、画像情報から利用者の顔画像の有無を判断し顔画像を選択的に記録する。
【０００９】
また、コントローラ１は、カードリーダ部３により利用者が所持するＩＤカード６が検出されるかどうかを監視するとともに、カードリーダ部３を介してＩＤカード６からＩＤ情報を取得する。さらに、コントローラ１は、利用者の顔画像の有無の判断結果とＩＤ情報と出入管理情報とに応じて電気錠４を施錠・解錠させるとともに顔検出ランプ５を点灯・消灯させる。ここで、電気錠４は、対象となる管理領域の出入口のドアに設けられている。顔検出ランプ５は、コントローラ１により利用者の顔が認識されたかどうかを利用者に知らせる。
【００１０】
図２は、図１のコントローラ１に登録された出入管理情報の一例を示す説明図である。この例では、ＩＤ毎に通行許可パラメータと顔画像検出要求パラメータとがそれぞれ設定されている。通行許可パラメータは、出入口の通行を許可するかどうかを設定するパラメータである。顔画像検出要求パラメータは、出入口を通行する際に、利用者の顔画像が必要であるかどうかを設定するパラメータである。
【００１１】
また、顔画像検出要求パラメータは、時間帯によって異なる設定とすることができる。例えば、図２では、ＩＤ情報００１２３４について、９時〜２０時の時間帯は、顔画像検出要求パラメータが「不要」に設定され、その他の時間帯は、顔画像検出要求パラメータが「必要」に設定されている。
【００１２】
次に、動作について説明する。図３は、図１のコントローラ１の動作を示すフローチャートである。コントローラ１は、カメラ２から受けた画像情報に利用者の顔画像が含まれているかどうかを監視する（ステップＳ１０１）。ここで、コントローラ１が利用者の顔画像を検出した場合、コントローラ１は、顔検出ランプ５を点灯させる（ステップＳ１０２）。一方、コントローラ１が利用者の顔画像を検出しなかった場合、コントローラ１は、顔検出ランプ５の消灯状態を維持、又は顔検出ランプ５を消灯させる（ステップＳ１０３）。
【００１３】
また、コントローラ１は、カードリーダ部３がＩＤカード６を検出したかどうかを監視する（ステップＳ１０４）。カードリーダ部３がＩＤカード６を検出した場合、コントローラ１は、ＩＤカード６の検出とほぼ同時にＩＤ情報を取得する。（ステップＳ１０５）。一方、カードリーダ部３がＩＤカード６を検出していない場合、コントローラ１は、利用者の顔画像及びＩＤカード６の検出待ち状態で待機する。
【００１４】
コントローラ１は、ＩＤ情報を取得すると、出入管理情報から取得したＩＤ情報に対応する顔画像検出要求パラメータを確認する（ステップＳ１０６）。ここで、顔画像検出要求パラメータが「不要」と設定されている場合、コントローラ１は、通行許可判定（ステップＳ１１０）へと移行する。一方、顔画像検出要求パラメータが「必要」と設定されている場合、コントローラ１は、既に（ステップＳ１０１の段階で）利用者の顔画像が検出されているかを判断する（ステップＳ１０７）。
【００１５】
ここで、既に利用者の顔画像が検出されている場合、コントローラ１は、利用者の顔画像を記録し（ステップＳ１０９）、通行許可判定（ステップＳ１１０）へと移行する。
また、利用者の顔画像が検出されていない場合、コントローラ１は、顔検出ランプ５を点滅させ、利用者に顔画像が検出されていないことを知らせて顔画像検出を促す（ステップＳ１０８）。そして、コントローラ１は、利用者の顔画像及びＩＤカード６の検出待ち状態へと移行する。
【００１６】
通行許可判定（ステップＳ１１０）において、コントローラ１は、出入管理情報を参照し、取得したＩＤ情報の通行許可パラメータの設定を確認する。ここで、取得したＩＤ情報の通行許可パラメータが「許可」と設定されている場合、コントローラ１は、電気錠４を解錠させる（ステップＳ１１１）。そして、コントローラ１は、ドアが一度開閉されるか、一定時間経過するか、又は一人が出入口を通過したことを確認すると、電気錠４を施錠させ、利用者の顔画像及びＩＤカード６の検出待ち状態へと移行する。
【００１７】
一方、取得したＩＤ情報の通行許可パラメータが「不許可」と設定されている場合、コントローラ１は、利用者の通行を拒むため電気錠４の施錠状態を維持させて、利用者の顔画像及びＩＤカード６の検出待ち状態へと移行する。
【００１８】
ここで、コントローラ１は、演算処理部（ＣＰＵ）、記憶部（ＲＯＭ、ＲＡＭ及びハードディスク等）及び信号入出力部を持ったコンピュータ（図示せず）により構成することができる。そして、図３の動作は、コントローラ１のコンピュータにより実現することができる。
【００１９】
上記のような出入管理装置では、コントローラ１が利用者の顔画像の有無とＩＤ情報に応じて出入管理を行い、ＩＤ情報や時間等の必要に応じて、利用者の顔画像を確実に記録することができるため、利用者の顔画像の取得精度を高めて、セキュリティ性を向上させることができる。
【００２０】
また、例えば図２のＩＤ情報００２３４５のように、顔画像検出要求パラメータを「必要」に設定しつつ、通行許可パラメータを「不許可」に設定することも可能である、これにより、例えば盗難等により無効となったＩＤカードの所持者が管理領域に侵入しようとした場合に、出入口の通行を拒否しつつ、無効ＩＤカードの所持者の顔画像の取得を図ることができる。
【００２１】
なお、実施の形態１では、利用者からのＩＤ情報の入力にカードリーダ部３を用いたが、ＩＤ情報を記録させた鍵、非接触式ＩＣカード及びＩＣタグ等の読込装置を用いてもよい。また、ＩＤ情報の入力として、例えば暗証番号の入力装置など、利用者が記憶するＩＤ情報を利用者により入力させる装置を用いてもよい。さらに、ＩＤ情報の入力として、指紋、静脈、声紋及び虹彩等の生体の特徴を読み取る装置を用いてもよい。
【００２２】
さらにまた、複数の出入管理装置を組み合わせて使用した場合に、出入管理装置毎及びＩＤ情報毎にセキュリティレベルを設定し、同一ＩＤ情報でもエリア及びセキュリティレベルに応じて出入管理が異なるように設定してもよい。
【図面の簡単な説明】
【００２３】
【図１】この発明の実施の形態１による出入管理装置を示すブロック図である。
【図２】図１のコントローラに登録された出入管理情報の一例を示す説明図である。
【図３】図１のコントローラによる動作を示すフローチャートである。
【符号の説明】
【００２４】
１  コントローラ、２  カメラ、４  電気錠、５  顔検出ランプ（報知手段）。
【図１】
2007009643.tif 000003
【図２】
2007009643.tif 000004
【図３】
2007009643.tif 000005